(57)【特許請求の範囲】
【請求項１】
被記録材に記録を行う記録手段と、
装置の本体に設けられる回動支点を中心に回動することにより、前記本体の一部を覆う閉状態を形成する立位姿勢と、前記本体の一部を開放する開状態を形成する倒伏姿勢と、をとり得る扉体と、
前記本体側に設けられ、扉体の裏面に当接して該扉体を前方に押し出す押込みロッドと一体のスライダを備えるプッシュラッチ装置と、
前記扉体の回動自由端側の先端面と前記本体において前記先端面と対向する面との間に設けられ、マグネットと磁性体の対を備えて構成されるマグネットキャッチ装置と、を備え、
前記マグネットキャッチ装置は、前記本体側にマグネットを設けた場合、前記扉体の側に磁性体を設け、
前記本体側に磁性体を設けた場合、前記扉体の側にマグネットを設け、
前記本体側に設けたマグネット又は磁性体は、前記扉体の開閉に伴う前記回動自由端の移動方向と交差する上下方向に可動状態で設けられるとともに付勢手段によって下方向に付勢されたホルダによって保持されており、当該ホルダが前記扉体の閉状態において該扉体の回動自由端側の先端面に当接し押圧されるように構成され、
前記ホルダと前記先端面とのそれぞれの当接面は、前記扉体が閉状態から開状態に移行する際に前記回動自由端が前記ホルダから離れる方向に向かって高くなる様なテーパ形状に形成されている、
ことを特徴とする記録装置。
【請求項２】
請求項１に記載の記録装置において、前記本体の表面の一部には前記扉体を閉じる時に扉体を受け入れる扉体収納用の凹陥部が設けられており、該凹陥部に扉体を収納させた前記閉状態では、本体の表面と扉体の表面とが面一になるように設定されていることを特徴とする記録装置。
【請求項３】
請求項２に記載の記録装置において、前記凹陥部の前面には前記押込みロッドを受け入れる出没用の穴部が設けられており、前記凹陥部の庇状に前方に張り出した上面側にマグネット又は磁性体が上下方向に可動状態で設けられていることを特徴とする記録装置。
【請求項４】
請求項１〜３のいずれか一項に記載の記録装置において、前記プッシュラッチ装置は、扁平なケース内に平板状のスライダと、
該スライダに突出傾向を付与する付勢バネと、
前記押込みロッドの連続する２回の押込み動作によって押込みロッドの突出状態と退避状態とを切り替える２位置保持ループ型のガイド溝と、
該ガイド溝に係合し、予め定められた一方向のみに移動するように設けられている平板状の揺動アームと、が収納されて構成されている、
ことを特徴とする記録装置。
【請求項５】
請求項１〜４のいずれか一項に記載の記録装置において、前記扉体は表裏両面が外観に現れる化粧面であり、前記扉体の表面は扉体を開閉する開閉スイッチとしての機能を有し、前記扉体の裏面は被載置物を載置する載置面としての機能を備えていることを特徴とする記録装置。
【請求項６】
請求項１〜５のいずれか一項に記載の記録装置において、前記付勢手段の付勢力により前記ホルダに作用する力は、前記ホルダの可動方向に平行な方向の成分と、前記可動方向と交差する方向の成分と、を含んでいることを特徴とする記録装置。
【請求項７】
請求項１〜６のいずれか一項に記載の記録装置において、前記扉体が、装置本体の前面において下部に設けられる前記回動支点を中心に装置本体に対して回動自在に接続される排出用スタッカである、
ことを特徴とする記録装置。
【発明の詳細な説明】
【技術分野】
【０００１】
本発明は、本体側に設けられるプッシュラッチ装置と、本体と該本体に対して回動自在に接続される扉体との間に設けられるマグネットキャッチ装置とを備える扉体の開閉装置及び該扉体の開閉装置を排出用スタッカの開閉装置として適用した記録装置に関する。
【背景技術】
【０００２】
以下、液体噴射装置、記録装置の一例であるインクジェットプリンタを例に採って説明する。近年、例えば４×６インチ以下の用紙を対象にしたコンパクトで持ち運びが便利なインクジェットプリンタが登場している。このインクジェットプリンタは、パーソナルコンピュータに接続しなくてもメモリーカード等を挿入するだけでデジタルカメラ等で撮影した画像データを直接、写真として印刷することができるいわゆるダイレクトプリンタである。
【０００３】
また、この種のインクジェットプリンタには、使用していない状態では外観表面に操作ボタン等が一切現れないフラットな角箱状のすっきりしたデザインのインクジェットプリンタが存在している。このようなインクジェットプリンタでは、使用していない状態では排出用スタッカが上方に折り畳まれており、プリンタ本体の前面の一部を構成している。また、プリンタ本体上面に設けられている操作パネルは、インクジェットプリンタを使用していない状態ではトレイサポートとしても機能するカバー部材によって覆い隠されている。
【０００４】
そして、インクジェットプリンタを使用する場合には、カバー部材の手前側を上部後方に回動させて開け、プリンタ本体の上面に現れた操作ボタン等の所定の操作手段を操作することによって排出用スタッカの裏面側のプリンタ本体内に備えられている拡開レバーを排出用スタッカ側に飛び出させ、排出用スタッカを手前に倒して拡開状態にしてから印刷を実行するようにしていた。
【０００５】
従って、排出用スタッカを手前に倒して印刷を開始できるようにするためには、上述したカバー部材を上方に持ち上げて拡開させる動作と、操作パネル上の所定のボタンを押して排出用スタッカを手前に倒す動作との２つのアクションが必要であり、取り扱いが面倒であった。また、上記操作パネル上の所定のボタンと排出用スタッカは位置的に離れており、特に初めてそのインクジェットプリンタを使用する場合には排出用スタッカの開閉方法が直感的に分かり難い構造になっていた。
【０００６】
また、閉塞状態の排出用スタッカの保持手段としてはマグネットキャッチ装置が使用されていた。従来のマグネットキャッチ装置は、プリンタ本体の凹陥部の前面にマグネットを設け、該マグネットに対応する位置の排出用スタッカの裏面に上記マグネットに吸着する金属片を設ける対面構造によって構成されていた。従って、上記マグネットと金属片は排出用スタッカの開閉方向と一致する方向に対面配置されており、排出用スタッカが拡開方向に移動してプリンタ本体から離れて行く当初の状態では、マグネットと金属片は両者の間のオーバーラップ量を大きく変化させることなく、対面する両者の間の距離のみを徐々に拡大させて行く。
【０００７】
しかし、マグネットの磁力は両者の間のオーバーラップ量に大きく依存するため、上記オーバーラップ量がそれほど変わらない状態では、マグネットの磁力が金属片に及ばないようにするためには排出用スタッカを大きく前方に押し出さなければならない。従って、拡開レバーの押出しストロークを長く取れるようにする必要があり、該拡開レバーを備える拡開装置の大型化を招いていた。
【０００８】
また、この対面構造のマグネットと磁性片との間の距離によって排出用スタッカの保持力を調整する構成の場合には、部品精度や組立て精度を高めたとしても磁力のばらつきが大きくなるため、排出用スタッカの最適な保持力の設定が困難になっていた。そして、排出用スタッカの保持力が小さい場合には、プリンタ本体を机等の上に置いただけの小さな衝撃によって排出用スタッカが不用意に開いてしまい、一方、排出用スタッカの保持力が大きい場合には、ユーザが排出用スタッカが閉まっていることを忘れて印刷を実行した場合に、用紙の搬送力では排出用スタッカが開かないため用紙の紙詰まりや印刷不良を招く等の不具合を生じさせる。
【０００９】
テレビのラックや各種の収納棚等に目を向けると、開閉対象である扉体の表面を軽く押すだけで扉体の開閉を行うことができる扉体の開閉装置を備えたラックや収納棚等が広く使用されている。このようなラックや収納棚等には、下記の特許文献１及び２に示すようなプッシュラッチ装置を適用した扉体の開閉装置が使用されている。
【００１０】
このうち特許文献１では、扉体側に茸状のフック部材を備え、本体側に上記フック部材を挟持する左右一対の保持アームが設けられたプッシュラッチ装置を備えた扉体の開閉装置が開示されている。また、特許文献２では、扉体側に舌片状をした受け部材を備え、本体側に上記受け部材に係止されるフック部材が設けられたプッシュラッチ装置を備えた扉体の開閉装置が開示されている。
【００１１】
そして、このような構成の扉体の開閉装置をインクジェットプリンタの排出用スタッカの開閉装置として利用できれば、排出用スタッカの開閉操作がより直感的になって分かり易くなると考えられる。しかし、持ち運びが可能でコンパクトなインクジェットプリンタの場合には上記プッシュラッチ装置を収納するための大きな空間を確保することは難しく、よりコンパクトな構造のプッシュラッチ装置が求められる。
【００１２】
また、排出用トレイの裏面は印刷されて排出されて来た用紙をストックするための載置面になっているため、載置面から突出する上記茸状のフック部材や舌片状の受け部材等の構成を採用することはできない。また、排出用スタッカを拡開した状態では、閉塞状態において排出用スタッカを収納していたプリンタ本体前面の凹陥部も外観構成部材となる。従って、当該凹陥部の外観を損ねる上記保持アームやフック部材の大きな露出は好ましくない。
【特許文献１】特開平７−３４７４６号公報
【特許文献２】特開２００６−３０７５３３号公報
【発明の開示】
【発明が解決しようとする課題】
【００１３】
本発明は、上記問題点の存在を踏まえてなされたものであって、扉体の閉状態を容易に解除することができるとともに、扉体を閉状態に保持する保持力を、所望する適切な大きさで確実に得ることを課題とするものである。加えて１アクションの直感的な操作によって扉体の開閉動作を簡単に行うことができ、扉体の開閉動作における保持力を最適な状態に安定して保つことができる扉体の開閉装置及び該扉体の開閉装置を排出用スタッカの開閉装置として適用した記録装置等を提供することを課題とするものである。
【００１４】
また、プッシュラッチ装置の薄型化と、本体の外観を損ねない最低限の露出に止どめたプッシュラッチ装置とマグネットキャッチ装置の配置及び構成とによって外観に凹凸を有しないシンプルなデザインの対象物や扉体の裏面を載置面として使用している対象物にも適用できるようにすることにある。
【課題を解決するための手段】
【００１５】
上記課題を解決するために本発明の態様の一つは、被記録材に記録を行う記録手段と、装置の本体に設けられる回動支点を中心に回動することにより、前記本体の一部を覆う閉状態を形成する立位姿勢と、前記本体の一部を開放する開状態を形成する倒伏姿勢と、をとり得る扉体と、前記本体側に設けられ、扉体の裏面に当接して該扉体を前方に押し出す押込みロッドと一体のスライダを備えるプッシュラッチ装置と、前記扉体の回動自由端側の先端面と前記本体において前記先端面と対向する面との間に設けられ、マグネットと磁性体の対を備えて構成されるマグネットキャッチ装置と、を備え、前記マグネットキャッチ装置は、前記本体側にマグネットを設けた場合、前記扉体の側に磁性体を設け、前記本体側に磁性体を設けた場合、前記扉体の側にマグネットを設け、前記本体側に設けたマグネット又は磁性体は、前記扉体の開閉に伴う前記回動自由端の移動方向と交差する上下方向に可動状態で設けられるとともに付勢手段によって下方向に付勢されたホルダによって保持されており、当該ホルダが前記扉体の閉状態において該扉体の回動自由端側の先端面に当接し押圧されるように構成され、前記ホルダと前記先端面とのそれぞれの当接面は、前記扉体が閉状態から開状態に移行する際に前記回動自由端が前記ホルダから離れる方向に向かって高くなる様なテーパ形状に形成されていることを特徴とする記録装置である。
また、本発明の第１の態様に係る扉体の開閉装置は、装置の本体に対して姿勢変化することにより、或いは変位することにより、前記本体の一部覆う閉状態と、前記本体の一部を開放する開状態と、を切り換える扉体の前記閉状態を保持する保持手段を備え、前記保持手段は、前記扉体の周縁に少なくとも一つ配置される被保持部と、前記扉体が前記閉状態にあるときに、前記本体側において前記被保持部と対向する位置に配置され、前記被保持部を保持する保持部と、を備えて構成され、前記扉体が前記閉状態を解除する為に姿勢変化する際の、或いは変位する際の前記保持部に対する前記被保持部の変位方向は、前記保持部と対向したまま当該保持部と相対的にずれる方向であり、前記保持部は、前記被保持部の変位方向と交差する方向に可動状態で設けられており、前記扉体の閉状態において前記被保持部に当接することを特徴とする。
【００１６】
本態様によれば、扉体に設けられる被保持部が扉体の周縁に配置されており、扉体の姿勢変化或いは変位に伴う被保持部の変位方向が、保持部と対向したまま当該保持部と相対的にずれる方向であり、即ち扉体の姿勢変化或いは変位に伴って両者のオーバーラップ量が変化する構成となっている。
【００１７】
これにより、扉体が閉状態の時にオーバーラップ量が最大になるから、閉状態では扉体の高い保持力を発揮する。そして扉体が開状態へ切り換わる際には、被保持部と保持部の対向する間隔が大きくなるのではなく両者が相対的にずれるので、オーバーラップ量が急激に減少する。
【００１８】
従って例えば、被保持部と保持部との間に磁力を生じさせることによって扉体を保持する構成を採用する場合には、扉体の姿勢変化或いは変位に伴い急激に保持力が低下する。つまり、扉体を少し姿勢変化或いは変位させることにより、容易に扉体の閉状態を解除することができる。このため、拡開レバーにより扉体の閉状態を解除する構成を採用する場合には、拡開レバーの押出しストロークを短くすることができ、装置の大型化を防止することができる。
【００１９】
そして保持部は被保持部の変位方向と交差する方向に可動状態で設けられており、扉体の閉状態においては被保持部に当接するので、組立精度の高低に拘わらず、被保持部と保持部との位置関係が一定に定まることとなる。従って例えば被保持部と保持部との間に磁力を生じさせることによって扉体を保持する構成を採用する場合には、磁力のばらつきが無くなり、扉体を閉状態に保持する保持力を、所望する適切な大きさで確実に得ることができる。
【００２０】
加えて被保持部は扉体の周縁に配置されるので、扉体のおもて面とうら面を、凹凸の無い滑らかな面に形成することができ、好ましい外観を得ることができる。また同時に、扉体のおもて面或いはうら面を機能的に利用する場合、例えば物を載置する載置面として利用する場合などには、被保持部がこれを阻害することなく、扉体のおもて面或いはうら面の全面を有効利用することができる。
【００２１】
本発明の第２の態様に係る扉体の開閉装置は、第１の態様に係る扉体の開閉装置において、前記保持手段が、前記本体側に設けられたマグネット又は磁性体と、前記本体側にマグネットが設けられた場合には前記扉体の側に設けられる磁性体と、或いは、前記本体側に磁性体が設けられた場合には前記扉体の側に設けられるマグネットと、の間に作用する磁力により前記扉体を閉状態に保持するマグネットキャッチ装置であることを特徴とする。
【００２２】
本態様によれば、前記保持手段が、磁力により扉体を閉状態に保持する構成であるので、上記第１の態様の作用効果により、扉体を少し姿勢変化或いは変位させれば、保持部と被保持部との間に作用する磁力が急激に低下し、扉体の閉状態を容易に解除することができる。
【００２３】
本発明の第３の態様に係る扉体の開閉装置は、本体側に設けられ、扉体の裏面に当接して該扉体を前方に押し出す押込みロッドと一体のスライダを備えるプッシュラッチ装置と、前記本体と該本体に対して回動自在に接続される前記扉体との間に設けられ、マグネットと磁性体の対を備えて構成されるマグネットキャッチ装置とを備え、前記扉体が閉状態において、前記本体と前記扉体の向かい合う位置に前記マグネットキャッチ装置を設け、前記本体側にマグネットを設けた場合、前記扉体で向かい合う位置に磁性体を備え、前記本体側に磁性体を設けた場合、前記扉体で向かい合う位置にマグネットを備え、前記扉体の向かい合う位置に備えたマグネット又は磁性体は、前記扉体の開閉方向と交差する方向に可動状態で設けられており、前記扉体の閉状態において該扉体の回動自由端側の先端面に当接し押圧された状態で位置するように構成されていることを特徴とするものである。
【００２４】
本発明の第３の態様の作用効果の説明を解りやすくする観点で、本体側にマグネットが設けられた構成に特定して以下説明する。もう一方の構成も同様の作用効果が得られる。  
プッシュラッチ装置の採用によって１アクションの直感的な操作によって扉体の開閉動作を行うことができる。そして、マグネットの前記可動構造と、前記扉体の閉状態においてマグネットが該扉体の回動自由端側の先端面に当接し押圧された状態で位置する構成によって扉体の開閉動作に関わる磁力による保持力を最適な状態に安定して保つことができる。
【００２５】
例えば、扉体の開閉動作に際して、マグネットと磁性体は両者のオーバーラップ量を変化させる方向に接近、離反する構成とすることが可能である。これにより、扉体が閉状態の時にオーバーラップ量が最大になるから、閉状態での扉体の高い保持力を維持する。また、扉体が拡開方向に移動することによってオーバーラップ量が減少して急激にマグネットの磁力が低下するため、扉体の拡開方向への回動が円滑に行われるようになる。
【００２６】
また、扉体が閉状態にある時は、マグネットと磁性体は直接的にあるいは他の部材を介して間接的に当接した状態になるから、マグネットの磁力のばら付きを小さくでき、扉体の保持力を安定して最適な状態に保つことができる。  
また、本体の表面にはプッシュラッチ装置の押込みロッドのみが扉体の拡開時に現れるだけであるから本体の外観を損ねることはない。
【００２７】
本発明の第４の態様に係る扉体の開閉装置は、前記第２のまたは第３の態様において、前記本体側に設けられた前記マグネット又は磁性体は、前記扉体の開閉方向と交差する上下方向に可動状態で設けられており、前記扉体の閉状態において該扉体の回動自由端側の先端面に載置状態で当接し自重によって押圧された状態で位置するように構成されていることを特徴とするものである。
【００２８】
本態様によれば、本体側に設けられた前記マグネット又は磁性体は、上下方向に可動状態で設けられていることで、前記扉体が閉じた状態において該扉体の回動自由端の先端面すなわち上端面に載置して当接する。その状態においては前記マグネット又は磁性体は、それ自体の自重によって前記上端面に押圧された状態で位置することになる。従って、扉体に前記自重に基く重力方向の力を作用することになり、当該扉体に対してその閉状態における姿勢を正しく且つ安定させる効果が得られる。  
本体側に設けられる前記マグネット又は磁性体が、上下方向に可動ではなく、固定されている構造では、該扉体はその固定位置に向かって引き寄せられてその姿勢を崩す虞があるが、本態様によればその虞はない。
【００２９】
本発明の第５の態様に係る扉体の開閉装置は、第２から第４のいずれか１つの態様において、前記本体側に設けられた前記マグネット又は磁性体は、該本体に対して前記扉体の開閉方向と交差する方向に可動状態で設けられるホルダによって保持されていることを特徴とするものである。
【００３０】
本態様によれば、成形が容易なホルダによってマグネット又は磁性体を保持することによってマグネット又は磁性体の形状はそのままにしてマグネット又は磁性体の可動状態を簡単に形成することができる。またホルダの部品精度と組立て精度とを向上させることによって、マグネットの磁力のばら付きを小さくでき、扉体の保持力を最適な状態に安定して保つことができる。
【００３１】
本発明の第６の態様に係る扉体の開閉装置は、第２から第５のいずれか１つの態様において、前記マグネット側と磁性体側のそれぞれの当接面は、内側が低くなるようにテーパ形状に形成されていることを特徴とするものである。
【００３２】
本態様によれば、本体側にマグネットが、扉体側に磁性体が設けられる構造で説明すると、磁性体が設けられている扉体がマグネットが設けられている本体に当接後、閉位置まで移動することによって、それぞれの当接面に形成されているテーパ形状の案内作用によって移動方向が限定されているマグネットは、扉体の開閉方向と交差する扉体の回動自由端の先端面から離反する方向に移動するようになる。これにより、扉体の閉位置への移動が円滑になる。また、扉体が本体に当接し閉位置まで移動するまでの間、本体との当接状態はそのまま維持されるから、扉体の保持力も引き続き、最適な状態に安定して保つことができる。
【００３３】
本発明の第７の態様に係る扉体の開閉装置は、前記第２から第６のいずれか１つの態様において、前記マグネットキャッチ装置による扉体の保持力は、前記マグネットと磁性体の互いに対向する面のオーバーラップ量によって設定されており、互いに対向する前記面は、前記扉体を閉状態から開状態に移行する際に互いに対向したまま相対的に前記面に沿ってずれて前記オーバーラップ量を減ずることを特徴とするものである。
【００３４】
本態様によれば、マグネットと磁性片との間の距離を変更することなくマグネットの磁力の及ぶ範囲を調整することができる。すなわち、扉体の開閉動作に際して、マグネットと磁性体は両者のオーバーラップ量を変化させる方向に接近、離反する。これにより、扉体が閉状態の時にオーバーラップ量が最大になるから、閉状態での扉体の高い保持力を維持する。また、扉体が拡開方向に移動することによってオーバーラップ量が減少して急激にマグネットの磁力が低下するため、扉体の拡開方向への回動が円滑に行われるようになる。また、扉体が閉状態にある時は、マグネットと磁性体は直接的にあるいは他の部材を介して間接的に当接した状態になるから、マグネットの磁力のばら付きを小さくでき、扉体の保持力を安定して最適な状態に保つことができる。
【００３５】
本発明の第８の態様に係る扉体の開閉装置は、前記第２から第７のいずれか１つの態様において、前記本体の表面に一部には前記扉体を閉塞する時に扉体を受け入れる扉体収納用の凹陥部が設けられており、該凹陥部に扉体を収納させた閉塞状態では、本体の表面と扉体の表面とが面一になるように設定されていることを特徴とするものである。
【００３６】
本態様によれば、扉体が閉じられた状態では本体の表面と扉体の表面とが面一になり、扉体の表面には扉体の開閉装置の構成部材が何ら現れないから、扉体が本体に融合したシンプルなデザインの対象物に対しての扉体の開閉装置の適用が可能になる。
【００３７】
本発明の第９の態様に係る扉体の開閉装置は、前記第８の態様において、前記凹陥部の前面には前記押込みロッドを受け入れる出没用の穴部が設けられており、前記凹陥部の庇状に前方に張り出した上面側にマグネット又は磁性体が上下方向に可動状態で設けられていることを特徴とするものである。
【００３８】
本態様によれば、扉体が開いた時に露出する本体の凹陥部の前面には押込みロッドの先端部を受け入れる出没用の穴部のみが設けられているだけである。また、マグネットは凹陥部の上面側に設けられているため前方から視認できるのは上記穴部から僅かに突出している押込みロッドの先端部のみであり、凹陥部の外観は従来にも増してすっきりした状態を保っている。
【００３９】
本発明の第１０の態様に係る扉体の開閉装置は、前記第３から第９のいずれか１つの態様において、前記プッシュラッチ装置は、扁平なケース内に平板状のスライダと、該スライダに突出傾向を付与する付勢バネと、前記押込みロッドの連続する２回の押込み動作によって押込みロッドの突出状態と退避状態とを切り替える２位置保持ループ型のガイド溝と、該ガイド溝に係合し、予め定められた一方向のみに移動するように設けられている平板状の揺動アームとが収容されていることを特徴とするものである。
【００４０】
本態様によれば、プッシュラッチ装置を構成するすべての部品が扁平なケース内に収容された薄型のプッシュラッチ装置を提供することができるから、狭い収容空間にもプッシュラッチ装置を収容でき、コンパクトな本体と扉体とからなる対象物に対しても扉体の開閉装置を適用することが可能となる。
【００４１】
本発明の第１１の態様に係る扉体の開閉装置は、前記第２から第１０のいずれか１つの態様において、前記扉体は表裏両面が外観に現れる化粧面であり、前記扉体の表面は扉体を開閉する開閉スイッチとしての機能を有し、前記扉体の裏面は被載置物を載置する載置面としての機能を備えていることを特徴とするものである。
【００４２】
本態様によれば、扉体の開閉装置を構成するプッシュラッチ装置とマグネットキャッチ装置が本体や扉体の外観を損なわない配置及び構造によって構成され、扉体の表裏両面が平滑に形成されている構成と相まって扉体のシンプルなデザインと機能性とを損なうことなく、操作性に優れる扉体の開閉装置を提供することが可能となる。
【００４３】
本発明の第１２の態様に係る扉体の開閉装置は、第１のまたは第２の態様において、前記保持部が、付勢手段の付勢力により前記被保持部に当接する方向に付勢されていることを特徴とする。
【００４４】
本態様によれば、前記保持部が、付勢手段の付勢力により前記被保持部に当接する方向に付勢されているので、扉体が開状態にあるときには、振動により前記保持部が装置内部でがたつき、異音が発生することを防止できる。また扉体が閉状態にあるときには、前記被保持部が前記保持部により押圧されるので、扉体をがたつきなく安定して保持することができる。
【００４５】
本発明の第１３の態様に係る扉体の開閉装置は、前記第１２の態様において、前記付勢手段の付勢力により前記保持部に作用する力は、前記保持部の可動方向に平行な方向の成分と、前記可動方向と交差する方向の成分と、を含んでいることを特徴とする。
【００４６】
本態様によれば、前記可動方向に平行な方向に作用する力により前記保持部を前記被保持部に向けて付勢しつつ、前記可動方向と交差する方向に作用する力により、前記保持部が装置本体に対してがたつくことなく、その位置が安定する。このため、前記保持部に保持される被保持部、即ち扉体についても、その位置がばらつかず、その位置を安定させることができる。
【００４７】
本発明の第１４の態様に係る扉体の開閉装置は、第１２のまたは第１３の態様において、前記扉体の裏面に当接して該扉体を前方に押し出す押込みロッドと一体のスライダを備えるプッシュラッチ装置を前記本体の側に備え、前記被保持部が凹部により、前記保持部が前記凹部に嵌入する凸部によりそれぞれ構成され、前記プッシュラッチ装置は、扁平なケース内に平板状のスライダと、該スライダに突出傾向を付与する付勢バネと、前記押込みロッドの連続する２回の押込み動作によって押込みロッドの突出状態と退避状態とを切り替える２位置保持ループ型のガイド溝と、該ガイド溝に係合し、予め定められた一方向のみに移動するように設けられている平板状の揺動アームと、を備えて構成され、前記凹部は、前記扉体の閉状態において前記扉体を介した前記押込みロッドの押込み動作に伴う、前記凸部の前記凹部内での移動を許容する大きさに形成されていることを特徴とする。
【００４８】
本態様によれば、前記凹部は、前記押込みロッドの押し込み動作に伴う前記凸部の移動を許容する大きさに形成されているので、前記押込みロッドの押し込み動作の際に前記凸部が前記凹部から外れることがなく、よって前記押し込みロッドの押し込み動作の際に大きな押し込み力を必要とせず、容易に前記押し込みロッドを押し込むことができる。
【００４９】
本発明の第１５の態様は、被記録材に記録を行う記録装置であって、装置本体の前面において下部に設けられる回動支点を中心に装置本体に対して回動自在に接続される排出用スタッカと、前記排出用スタッカを扉体とする、請求項１〜１４のいずれか１項に記載の扉体の開閉装置と、を備えていることを特徴とするものである。
【００５０】
本態様によれば、被記録材に記録を行う記録装置において、上記第１から第１４の態様のいずれかと同様な作用効果を得ることができる。特に、第１０の態様に係る扉体の開閉装置を備えたものは、プッシュラッチ装置の薄型化と、記録装置本体の外観を損ねない最低限の露出に止どめたプッシュラッチ装置とマグネットキャッチ装置の配置及び構成とによって外観に凹凸を有しないシンプルなデザインの記録装置や拡開した排出用スタッカの裏面を被記録材の載置面として使用している記録装置に対して１アクションの直感的な操作によって排出用スタッカの開閉動作を行うことができ、排出用スタッカの閉状態での保持力を最適な状態に安定して保つことができる機能を付加することが可能になる。
【００５１】
本発明の第１６の態様に係る液体噴射装置は、液体噴射装置本体と、該液体噴射装置本体の前面において下部に設けられる回動支点を中心に当該液体噴射装置本体に対して回動自在に接続される排出用スタッカと、前記液体噴射装置本体側に設けられ、前記排出用スタッカの裏面に当接して排出用スタッカを前方に押し出す押込みロッドと一体のスライダを備えるプッシュラッチ装置と、当該液体噴射装置本体と排出用スタッカのとの間に設けられ、マグネットと磁性体の対を備えて構成されるマグネットキャッチ装置とを備え、前記排出用スタッカが閉状態において、前記本体と前記扉体の向かい合う位置に前記マグネットキャッチ装置を設け、前記本体側にマグネットを設けた場合、前記扉体で向かい合う位置に磁性体を備え、前記本体側に磁性体を設けた場合、前記扉体で向かい合う位置にマグネットを備え、前記扉体の向かい合う位置に備えたマグネット又は磁性体は、前記扉体の開閉方向と交差する方向に可動状態で設けられており、前記扉体の閉状態において該扉体の回動自由端側の先端面に当接し押圧された状態で位置するように構成されていることを特徴とするものである。
【発明を実施するための最良の形態】
【００５２】
以下、本願発明に係る扉体の開閉装置を記録装置の排出用スタッカの開閉装置に適用した実施例と、当該排出用スタッカの開閉装置を備える液体噴射装置の一例である記録装置について説明する。最初に本願発明の液体噴射装置、そしてその一例である記録装置を実施するための最良の形態として、インクジェットプリンタ１００を採り上げて、その全体構成の概略を図面に基づいて説明する。尚、ここで説明するインクジェットプリンタ１００は、例えば４×６インチ以下の被液体噴射材の一例である被記録材Ｐ（以下単に用紙Ｐともいう）を対象にした極めてコンパクトで持ち運びが容易で、表面に凹凸がほとんど現れないシンプルなデザインのインクジェットプリンタである。また、このインクジェットプリンタ１００は、パーソナルコンピュータに接続しなくてもデジタルカメラ等で撮影した画像データを写真として直接用紙Ｐに印刷することができる、いわゆるダイレクトプリンタと呼ばれているタイプのインクジェットプリンタである。
【００５３】
図１はカバー部材と排出用スタッカを閉塞した状態のインクジェットプリンタを示す斜視図、図２はカバー部材と排出用スタッカを拡開した状態のインクジェットプリンタを示す斜視図である。このインクジェットプリンタ１００は、図１、図２に示すように、角箱状の液体噴射装置本体、記録装置本体の一例であるプリンタ本体（扉体の開閉装置における本体に相当する）３を備えている。プリンタ本体３は、その前面、後面、左右の側面及び底面が閉塞され、上面が開放されている深底容器形状をしたハウジング４と、使用しない状態では図１に示すようにプリンタ本体３の上面を閉塞し、図２に示す使用時の状態では給送用トレイ５の上方に張り出した用紙Ｐの上部を支承するトレイサポートとしても機能するカバー部材６と、図１に示す使用しない状態において上記カバー部材６の下方に位置し、ハウジング４の開放された上面を閉塞する操作パネル７と、上記ハウジング４の前面の一部を凹陥させた凹陥部１６と、当該凹陥部１６に収納される開閉自在に設けられている排出用スタッカ（扉体の開閉装置における扉体に相当する）８と、上記ハウジング４の左右の側板に対して回動自在に接続される門型をした手提げハンドル９とを備えている。
【００５４】
また、上記操作パネル７上には、中央に液晶モニタ１１、その周囲に各種の操作ボタン１２ａ、１２ｂ、１２ｃ、・・・１２ｎが取り付けられており、操作パネル７の後部には矩形状に切り欠かれた給送用開口１３が設けられている。尚、上記液晶モニタ１１と操作ボタン１２ａ、１２ｂ、１２ｃ、・・・１２ｎとしては、タッチパネルスイッチも含めて種々の形状ないし構造のものを採用することが可能である。また、上記給送用開口１３は、用紙Ｐの取込み口になっており、当該給送用開口１３には複数枚の用紙Ｐを連続して自動的に給送することができる自動給送ユニット２における給送用トレイ５が臨んでいる。
【００５５】
また、排出用スタッカ８は、左右の側面の下部に回動支点となる回動軸１７、１７が設けられており、記録実行時には図２に示すように上記回動軸１７、１７を中心にほぼ水平姿勢になるまで手前に回動するようになっている。そして、この状態において上面に来る排出用スタッカ８の裏面１８が、記録が実行されて排出されて来る用紙Ｐを受け取る載置面になっている。また、排出用スタッカ８が拡開した状態では、図２に示すようにハウジング４の前面の凹陥部１６が現れるようになっている。そして、当該凹陥部１６の下部には用紙Ｐの排出口１９、凹陥部１６の上部にはデジタルカメラ等で撮影した画像データ等が収録されたメモリーカード等を挿入するカードスロット１５等が設けられている。
【００５６】
［実施例１］
次に、このようにして構成されるインクジェットプリンタ１００の排出用スタッカの開閉装置１を例に採って本発明の扉体の開閉装置１（排出用スタッカと同じ符号１を使用する）の構成と作動態様について図面に基づいて具体的に説明する。
【００５７】
図３は排出用スタッカとカバー部材を拡開した状態のプリンタ本体の凹陥部を示す斜め上方からの斜視図、図４は排出用スタッカを拡開した状態のプリンタ本体における凹陥部の右上コーナ部付近を拡大して示す斜め下方からの斜視図である。図５は排出用スタッカを開いた状態の排出用スタッカの開閉装置を示す側断面図、図６は排出用スタッカを閉じた状態の排出用スタッカの開閉装置を示す側断面図である。図７はプッシュラッチ装置を分解して示す斜め上方からの斜視図、図８はプッシュラッチ装置を分解して示す斜め下方からの斜視図である。図９は排出用スタッカが拡開状態にある時のプッシュラッチ装置の作動態様を示す平断面図、図１０は図９の状態から排出用スタッカを閉じた時のプッシュラッチ装置の作動態様を示す平断面図である。図１１は図１０の状態で排出用スタッカの表面を指で押した瞬間のプッシュラッチ装置の作動態様を示す平断面図、図１２は図１１の状態から排出用スタッカの表面から指を離して排出用スタッカを拡開させた時のプッシュラッチ装置の作動態様を示す平断面図である。また図１３はマグネットキャッチ装置を分解して示す斜視図である。
【００５８】
排出用スタッカの開閉装置１は、プリンタ本体３側に設けられるプッシュラッチ装置２１と、プリンタ本体３と排出用スタッカ８との間に設けられるマグネットキャッチ装置２２とを備えている。プッシュラッチ装置２１は、排出用スタッカ８側に突出する押込みロッド２３を有し、該押込みロッド２３と一体になって摺動するスライダ２４と、該スライダ２４に突出傾向を付与する付勢バネ２６と、上記スライダ２４に形成されている２位置保持型のガイド溝２７と、該ガイド溝２７に係合する係合軸２８を備える揺動アーム２９と、これら諸部材を収容するケース３０とを備えることによって基本的に構成されている。
【００５９】
前記押込みロッド２３は、一例として角棒状の部材で矩形平板状のスライダ２４と一体成形されている。押込みロッド２３は、凹陥部１６の前面２０に設けられている角穴形状の穴部３１から前方に突出するように設けられている。スライダ２４の下面には、前方の押込みロッド２３寄りの部分にハート形をした上記ガイド溝２７が設けられており、該ガイド溝２７の後方の部分に前後方向に直線的に延びる２本の角溝３２、３２が設けられている。
【００６０】
前記付勢バネ２６は、コイル径及び線径の細い圧縮コイルバネによって構成されており、上述した２本の角溝３２、３２の１つに収容されるようになっている。
【００６１】
前記ガイド溝２７は、上述したようにハート形をしており、ハート形のガイド溝２７の前方側と後方側の端部に２つの保持点Ａ、Ｂが設けられている。また、図９〜図１２において、上記保持点Ａ、Ｂを境にしてガイド溝２７の右側の経路が拡開状態の排出用スタッカ８が閉塞方向に回動し、上記押込みロッド２３に当接して押込みロッド２３を後方に押し込む時に通る押込み経路４０になっている。そして、保持点Ａ、Ｂを境にしてガイド溝２７の左側の経路が閉塞状態の排出用スタッカ８の裏面１８に上記押込みロッド２３が当接し前方に排出用スタッカ８を押し出すときに通る押出し経路４１になっている。
【００６２】
従って、揺動アーム２９の係合軸２８は、保持点Ａを始点として押込み経路４０、保持点Ｂ、押出し経路４１の順でガイド溝２７を移動して再び保持点Ａに戻るように一方向のみに移動し得るようになっている。また、保持点Ａには係合軸２８の逆方向への移動を防止するための段差４２が設けられている。
【００６３】
前記揺動アーム２９は、基部側が幾分幅広に形成され、端部が丸く加工された平板状の部材である。揺動アーム２９の先端側の上面には上方に向けて突出する上記係合軸２８が設けられており、揺動アーム２９の基端側には上記係合軸２８に対して外側（図９〜図１２では右側）に偏心した位置に揺動穴４３が設けられている。また、揺動穴４３の内側の側傍には、２つの係合爪４４、４４が一定の距離を空けて並設されており、これらの係合爪４４、４４はスライダ２４の下面に形成されている上記の２本の角溝３２、３２とそれぞれ係合するようになっている。
【００６４】
前記ケース３０は、ケース本体４５とケースカバー４６とによって構成される扁平な矩形容器状の部材である。ケース本体４５には、スライダ２４の後部側の左右の側面と摺接する左右のサイドガイド４７、４７と、スライダ２４の前部側の左側面と摺接するガイドリブ４８とが設けられている。また、ケース本体４５の後部寄りの左右のサイドガイド４７、４７の中間付近の、幾分右寄りの位置には上記揺動アーム２９の揺動穴４３と嵌合する揺動軸５０が上方に向けて立ち上げられている。
【００６５】
一方、ケースカバー４６は、矩形平板状の部材で前部側には上記押込みロッド２３の基部側を受け入れる矩形状の切欠き部５１が設けられている。従って、プッシュラッチ装置２１を構成するスライダ２４、付勢バネ２６及び揺動アーム２９は、上記扁平なケース３０内にすべて収容されるようになっており、狭いスペースでも取り付けることが可能な薄型構造のプッシュラッチ装置２１を構成している。
【００６６】
一方、前記マグネットキャッチ装置２２は、プリンタ本体３に対して排出用スタッカ８の開閉方向Ｘと交差する方向、この例では直交する方向Ｙに可動状態で設けられるマグネットホルダ５３と、該マグネットホルダ５３によって保持されるマグネット５４と、排出用スタッカ８側に設けられる磁性体である磁性片５５とを備えることによって基本的に構成されている。
【００６７】
即ち、マグネット５４を備えたマグネットホルダ５３は「保持部」を構成し、磁性片５５を備えた排出用スタッカ８の回動自由端側の先端面５８は、マグネットホルダ５３により保持される「被保持部」を構成し、これら保持部及び被保持部が、扉体としての排出用スタッカ８を閉状態に保持する保持手段を構成する。前記被保持部としての先端面５８は、上記の通り排出用スタッカ８の周縁に位置しており、前記保持部としてのマグネットホルダ５３は、先端面５８と対向する位置に設けられる。
【００６８】
従って排出用スタッカ８が閉状態を解除する為に姿勢変化する際の、前記保持部（マグネットホルダ５３）に対する前記被保持部（先端面５８）の変位方向は、前記保持部と対向したまま当該保持部と相対的にずれる方向となる。
【００６９】
マグネットホルダ５３は、図１３に示すように上面が開放された矩形容器状の部材である。マグネットホルダ５３の左右の側面には外方に張り出した直方体形状の２つのガイド凸部５６、５６が一体成形されており、マグネットホルダ５３の底部５７はプリンタ本体３における凹陥部１６の前方に張り出した上面５９に形成されている角窓状の窓部６２から下方に向けて突出している。
【００７０】
そして、前記マグネットホルダ５３の底部５７は、排出用スタッカ８の回動自由端側の先端面５８に当接する当接面になっており、内側に位置する凹陥部１６の前面２０側に向かって低くなるようなテーパ形状に形成されている。
【００７１】
また、このようなマグネットホルダ５３は、プリンタ本体３の凹陥部１６における上面５９の上方空間６０に収容されており、該上方空間６０にはマグネットホルダ５３の上記ガイド凸部５６、５６と係合するガイド凹部６１、６１が形成されている。ガイド凹部６１、６１は排出用スタッカ８の開閉方向Ｘと直交する方向Ｙに延びるように形成された角溝状の凹部である。よって、マグネットホルダ５３は、前記ガイド凹部６１、６１への前記係合によって排出用スタッカ８の開閉方向Ｘと直交する方向Ｙにのみ移動でき、前記Ｘ方向には位置が固定されている。また、ガイド凹部６１、６１の上部には、図示しない抜け止め構造が設けられており、該抜け止め構造によってマグネットホルダ５３の上方空間６０からの脱落が防止されている。
【００７２】
前記マグネット５４は、一例として一辺の長さが約４ｍｍ、厚さが約１ｍｍの平面視正方形状をした平板状の永久磁石である。そして、このようなマグネット５４は、上記マグネットホルダ５３内に収容され、マグネットホルダ５３の底部上面に固定状態で配置されている。従って、マグネット５４は、マグネットホルダ５３と一体になって図示のように排出用スタッカ８の開閉方向Ｘと直行する方向Ｙである上下方向にのみ所定のストローク移動できるようになっている。また、マグネットホルダ５３には図示しない係止構造や蓋部材等が設けられていて、マグネットホルダ５３からのマグネット５４の不用意な脱落が防止されている。
【００７３】
前記磁性片５５は、一例として一辺の長さが約４ｍｍの平面視正方形状をした平板状の磁性体部品である。そして、このような磁性片５５は、上記排出用スタッカ８の回動自由端の先端面５８の内部に収容されており、該先端面５８の壁面を介して上記マグネットホルダ５３の底部５７に当接するようになっている。
【００７４】
また、排出用スタッカ８を閉じた状態での上記マグネット５４と磁性片５５のオーバーラップ量Ｓは、約２ｍｍに設定されており、当該オーバーラップ量Ｓの時に排出用スタッカ８の最適な保持力が得られるようになっている。そして、排出用スタッカ８の回動自由端の先端面５８の端面形状も、上記マグネットホルダ５３の底部５７と同様、内側に位置する凹陥部１６の前面２０側に向かって低くなるようなテーパ形状に形成されており、排出用スタッカ８の閉塞時において、当該排出用スタッカ８の回動自由端の先端面５８が上記マグネットホルダ５３の底部５７に当接してマグネットホルダ５３を上方に押し上げた状態で位置するようになっている。
【００７５】
そして、排出用スタッカ８の閉状態では、前記マグネットキャッチ装置２２によって、排出用スタッカ８は前記凹陥部１６に収納されており、その収納状態では、プリンタ本体３の表面と排出用スタッカ８の表面とが図１に示したように面一になるように構成されている。
【００７６】
次に、このようにして構成される排出用スタッカの開閉装置１の作動態様を（１）排出用スタッカを閉じる場合と、（２）排出用スタッカを開く場合に分けて説明する。
【００７７】
（１）排出用スタッカを閉じる場合（図５、図６、図９、図１０参照）
図５及び図９に示すように、排出用スタッカ８が開いている状態では、スライダ２４は付勢バネ２６の付勢力によって最も前部寄りに位置しており、スライダ２４と一体の押込みロッド２３は、プリンタ本体３の凹陥部１６の前面２０に形成されている穴部３１から前方に大きく突出した状態になっている。一方、この時マグネットホルダ５３とマグネット５４は、自重によって最下端に位置しており、凹陥部１６の前面２０に形成されている窓部６２からマグネットホルダ５３の底部５７が僅かに突出した状態になっている。
【００７８】
そして、手前に倒れている排出用スタッカ８を上方に起こしてプリンタ本体３の凹陥部１６内に排出用スタッカ８を押し込むと、排出用スタッカ８の裏面１８が、押込みロッド２３の端面に当接して押込みロッド２３を図６及び図１０に示すように後方に押し込むようになる。押込みロッド２３が後方に押し込まれると、押込みロッド２３と一体のスライダ２４は付勢バネ２６の付勢力に抗して図示のように後方に移動する。
【００７９】
また、排出用スタッカ８の回動自由端の先端面５８がマグネットホルダ５３の底部５７に当接している状態で、排出用スタッカ８が閉塞位置に向けて移動することによって、移動方向が限定されているマグネットホルダ５３とマグネット５４は、上方に向けて移動するようになり、上記排出用スタッカ８の閉塞位置への移動を許容する。すなわち、マグネットホルダ５３とマグネット５４が上下方向に可動状態で設けられていることで、排出用スタッカ８が閉じた状態において該排出用スタッカ８の回動自由端の先端面（すなわち上端面）５８に載置して当接する。その状態においては前記マグネットホルダ５３とマグネット５４は、それ自体の自重によって前記先端面５８に押圧された状態で位置することになる。従って、排出用スタッカ８に前記自重に基く重力方向の力を作用することになり、当該排出用スタッカ８に対してその閉状態における姿勢を正しく且つ安定させる効果が得られる。
【００８０】
また、スライダ２４の後方への移動に伴って、揺動アーム２９は、揺動軸５０を揺動中心として先端の係合軸２８が図１０中、矢印で示すように保持点Ａから押込み経路４０を通って保持点Ｂに至るように、最初に右側に揺動してから左側に揺動し、図６及び図１０に示す押し込まれた位置で押込みロッド２３は保持される。尚、この状態では押込みロッド２３及びマグネットホルダ５３は、排出用スタッカ８によってすべて隠れてしまうため外部から押込みロッド２３とマグネットホルダ５３を視認することはできなくなっている。
【００８１】
（２）排出用スタッカを開く場合（図５、図６、図１１、図１２参照）
凹陥部１６内に収容されている排出用スタッカ８を手前に倒して開き、記録の実行ができる状態にする場合を説明する。この場合には図１１に示すように、排出用スタッカ８の表面を指で軽く押し、押込みロッド２３及びスライダ２４を少し後方に移動させる。スライダ２４の後方への移動に伴って、揺動アーム２９は図１１中、時計方向に揺動するようになり、揺動アーム２９先端の係合軸２８は保持点Ｂから左斜め前方に移動する。
【００８２】
続いて排出用スタッカ８の表面を押していた指を離すと、付勢バネ２６の付勢力によって、スライダ２４は前方に移動するようになり、図１２に示すように揺動アーム２９先端の係合軸２８は保持点Ｂを離れ、図中矢印で示すように押出し経路４１を通って保持点Ａに到達する。そして、排出用スタッカ８は、手前に向けて回動し拡開状態となり、プリンタ本体３の凹陥部１６が現れるようになる。尚、一旦保持点Ａに到達した係合軸２８は押込み経路４０と押出し経路４１との重合部に設けられている段差４２によって直接押出し経路４１に進入できないようになっている。従って、係合軸２８は常にガイド溝２７中を図９〜図１２中、時計方向のみに回転し得るようになっている。
【００８３】
また、排出用スタッカ８が拡開した状態では、マグネットホルダ５３とマグネット５４は、自重によって最下端に移動し、凹陥部１６の前面２０に形成されている窓部６２からマグネットホルダ５３の底部５７が僅かに突出した状態になり、プリンタ本体３の凹陥部１６の前面２０には押込みロッド２３が現れるがプリンタ本体３の外観にはほとんど影響を及ぼさない。
【００８４】
［他の実施例］
本願発明に係る扉体の開閉装置１及び該扉体の開閉装置１を排出用スタッカの開閉装置に適用した記録装置１００等は、以上述べたような構成を基本とするものであるが、本願発明の要旨を逸脱しない範囲内の部分的構成の変更や省略等を行なうことも勿論可能である。例えば、本発明の扉体の開閉装置１は、インクジェットプリンタ１００等の記憶装置や他の液体噴射装置に限らず、本体３と、該本体３に対して回動自在に接続される扉体８とを備える種々の装置や収納庫あるいは容器等に適用可能である。またスライダ２４を突出させる方向の付勢力を増大させたい場合には、２本ある角溝３２の両方に付勢バネ２６を縮設させておくことも可能である。因みにこのように構成した場合には付勢バネ２６のコイル径や線径を大きくすることなく、付勢力を増大させることができ、プッシュラッチ装置２１の薄型形状をそのまま維持することができる。
【００８５】
また、マグネットホルダ５３とマグネット５４の可動方向は、前記の実施例のような上下方向に限らず、閉塞状態の排出用スタッカ８の開閉方向Ｘと交差する方向であれば種々の方向に設定することが可能である。例えば、マグネットホルダ５３とマグネット５４の可動方向が上下方向でない場合、重力以外の方法でマグネットホルダ５３とマグネット５４を移動させる必要があるが、その場合の移動手段として圧縮コイルバネ等の付勢手段を別途設けるようにすることも可能である。
【００８６】
また、マグネットホルダ５３を介さないで直接、プリンタ本体３の凹陥部１６の上面５９側にマグネット５４を前記方向に可動状態で設けることも可能であるし、マグネットホルダ５３の底部５７の下面にマグネット５４を貼設したり、排出用スタッカ８の回動自由端５８の外表面に磁性片５５を貼設したりする構成を採用することも可能である。尚、これらの構成の場合にはマグネット５４と磁性片５５との間の距離が短くなり、マグネット５４の磁力の及ぶ範囲が拡大して排出用スタッカ８の保持力が強くなり過ぎることがある。従って、このような場合にはマグネット５４や磁性片５５の大きさや厚さを調整したり、両者のオーバーラップ量Ｓを調整して閉塞状態の排出用スタッカ８の保持力を最適な大きさになるように設定する。
【００８７】
また、前記実施例では、プリンタ本体３側にマグネット５４が設けられ、排出用スタッカ８側に磁性片５５が設けられた構造を説明したが、逆にしてプリンタ本体３側に磁性片５５が設けられ、排出用スタッカ８側にマグネット５４が設けられた構造にすることも可能である。この構造によっても前記実施例と同様の作用効果が得られる。
【００８８】
また、前記実施例では、排出用スタッカ８はプリンタ本体３に対して回動可能に設けられ、回動することにより、即ち姿勢変化することにより、プリンタ本体３の一部（凹陥部１６）を覆う閉状態と、プリンタ本体３の一部（凹陥部１６）を開放する開状態と、を切り換えるが、これに限られず、例えばプリンタ本体３に対してスライドすることにより、即ち姿勢変化することにより、閉状態と開状態とを切り換えるように構成されていても構わない。
【００８９】
以下、本発明に係る排出用スタッカの開閉装置（以下「開閉装置」と言う）の他の実施例について図１４乃至図１８を参照しながら具体的に説明する。図１４は他の実施例に係る開閉装置１Ａの、排出用スタッカ８の閉塞時の状態を示す側断面図である。この図１４は、図６に対応するものであり、図６と同一の構成には同一符号を付してある（従ってその構成要素についての説明は省略する）。
【００９０】
図１４に示す開閉装置１Ａが図６の開閉装置１と異なる点は、マグネットホルダ５３を付勢する付勢手段としてのコイルばね６３を備えている点である。即ち、マグネットホルダ５３は、その自重によって排出用スタッカ８の回動自由端側の先端面５８に押圧されるとともに、コイルばね６３の付勢力によってより強く前記先端面５８に圧接する。従って排出用スタッカ８が開状態にあるときには、振動によりマグネットホルダ５３が装置内部でがたつき、異音が発生することを防止できる。また排出用スタッカ８が閉状態にあるときには、排出用スタッカ８の回動自由端側の先端面５８がより強く押圧されるので、扉体をより一層がたつきなく安定して保持することができる。
【００９１】
次に図１５は他の実施例に係る開閉装置１Ｂの、排出用スタッカ８の閉塞時の状態を示す側断面図である。この図１５も、図６に対応するものであり、図６と同一の構成要素には同一符号を付してある（従ってその構成要素についての説明は省略する）。
【００９２】
図１５に示す開閉装置１Ｂが図６の開閉装置１と異なる点は、排出用スタッカ８を閉状態に保持する保持手段にマグネット（磁力）を用いず、装置本体側に設けられるプランジャ６４と、当該プランジャ６４の先端６４ａが嵌入する、排出用スタッカ８側に形成される凹部５８ａと、により排出用スタッカ８を閉状態に保持する点である。
【００９３】
プランジャ６４は、排出用スタッカ８の回動自由端側の先端面５８に対して進退可能に設けられているとともに、付勢手段としてのコイルばね６３により、先端面５８に向けて付勢されている。これにより排出用スタッカ８の閉状態では、プランジャ６４の先端６４ａが、排出用スタッカ８の先端面５８に形成された凹部５８ａに嵌入する。これによりプランジャ６４が、被保持部としての凹部５８を保持する保持部として機能し、排出用スタッカ８の閉塞状態が保持されるようになっている。この様な構成により、上記開閉装置１Ａと同様な作用効果を得ることができる。
【００９４】
次に図１６〜図１８は他の実施例に係る開閉装置１Ｃの側断面図であり、図１６は排出用スタッカ８の閉塞状態、図１７は排出用スタッカ８を開く為に当該排出用スタッカ８を押し込んだ状態、図１８は排出用スタッカ８の閉塞状態が解除された状態を示している。この図１６〜図１８も、図６に対応するものであり、図６と同一の構成要素には同一符号を付してある（従ってその構成要素についての説明は省略する）。
【００９５】
図１６〜図１８に示す開閉装置１Ｃが図６の開閉装置１と異なる点は、排出用スタッカ８を閉状態に保持する保持手段にマグネット（磁力）を用いない点であり、この点においては図１５を参照しながら説明した開閉装置１Ｂと同様である。即ち、装置本体側に設けられるプランジャ（凸部）６５が、被保持部としての凹部６６を保持する保持部として機能し、これにより排出用スタッカ８の閉塞状態が保持されるようになっている。これにより、上記開閉装置１Ｂと同様な作用効果を得ることができる。
【００９６】
以下、図１５の開閉装置１Ｂと異なる点について説明する。本実施形態では、凹部６６の内部に斜面６７が形成されており、排出用スタッカ８の閉塞状態において、プランジャ６５が上記斜面６７を押圧するように構成されている。これにより凹部６６に作用する力は、プランジャ６５の可動方向（図１６のＹ方向）に平行な方向の成分と、凹部６６の変位方向（本実施形態では、図１６のＸ方向）とが含まれることとなる。
【００９７】
このため、凹部６６の変位方向に作用する力、より具体的には凹部６６を装置奥側へ向けて付勢する力により、凹部６６（排出用スタッカ８の回動自由端）が、押込みロッド２３とプランジャ６５とに挟持された状態となり、従って排出用スタッカ８が装置本体に対してがたつくことなく、その位置が安定する。しかも凹部６６の変位方向に作用する力は、排出用スタッカ８を閉状態に回動させる方向の力であるので、排出用スタッカ８の閉状態をより確実に維持することができる。
【００９８】
尚、コイルばね６３がプランジャ６５を付勢する付勢力の作用方向を、図１６のＹ方向（上下方向）に対して角度を持たせることもできる。即ち、コイルばね６３によりプランジャ６５に作用する力が、プランジャ６５の可動方向（Ｙ方向）に平行な方向の成分と、この可動方向（Ｙ方向）と交差する方向の成分と、を含むようにする。このようにすることにより、プランジャ６５が収容される、プリンタ本体３の凹陥部１６における上方空間６０において、プランジャ６５ががたつくことなく、その位置が安定する。この為、プランジャ６５により保持される凹部６６、即ち排出用スタッカ８についても、その位置がばらつかず、安定させることができる。
【００９９】
ところで、排出用スタッカ８の閉状態において、凹部６６には図１６の符号ｄで示すようにプランジャ６５の凹部６６内部での移動を許容する空間が形成されている。これにより、図１７に示すように排出用スタッカ８を開く為に排出用スタッカ８の表面を指で軽く押し、押込みロッド２３を少し後方に移動させる際に、プランジャ６５が凹部６６内で移動することができ、即ち凹部６６から外れないようになっている。このため、前記押し込み動作の際に大きな押し込み力を必要とせず、容易に押し込みロッド２３を押し込むことができる。
【０１００】
そして排出用スタッカ８の表面を軽く押し込み、押込みロッド２３を後方に移動させると、図１８に示す様に押込みロッド２３が装置前方側に突出し、排出用スタッカ８の閉状態が解除される。尚、図１６〜図１８において符号ａは、排出用スタッカ８が閉状態にあるときの押込みロッド２３の先端位置を示している。
【０１０１】
以上説明した種々の実施例では、本発明に係る扉体の開閉装置１をインクジェットプリンタに適用したが、インクジェットプリンタに限られず、液体噴射装置全般に適用することも可能である。ここで液体噴射装置とは、インクジェット式記録ヘッドが用いられ、該記録ヘッドからインクを吐出して被記録材に記録を行うプリンタ、プロッタ、複写機及びファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０１０２】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【図面の簡単な説明】
【０１０３】
【図１】排出用スタッカ閉塞時のインクジェットプリンタを示す斜視図。
【図２】排出用スタッカ拡開時のインクジェットプリンタを示す斜視図。
【図３】プリンタ本体の凹陥部を示す斜め上方からの斜視図。
【図４】プリンタ本体の凹陥部の一部を拡大して示す斜め下方からの斜視図。
【図５】拡開時の排出用スタッカの開閉装置を示す側断面図。
【図６】閉塞時の排出用スタッカの開閉装置を示す側断面図。
【図７】プッシュラッチ装置を分解して示す斜め上方からの斜視図。
【図８】プッシュラッチ装置を分解して示す斜め下方からの斜視図。
【図９】排出用スタッカ拡開時のプッシュラッチ装置を示す平断面図。
【図１０】排出用スタッカ閉塞時のプッシュラッチ装置を示す平断面図。
【図１１】閉塞状態の排出用スタッカの表面を押した瞬間のプッシュラッチ装置を示す平断面図。
【図１２】排出用スタッカの表面から指を離した後のプッシュラッチ装置を示す平断面図。
【図１３】マグネットキャッチ装置を分解して示す斜視図。
【図１４】本発明の他の実施形態に係る開閉装置の側断面図。
【図１５】本発明の他の実施形態に係る開閉装置の側断面図。
【図１６】本発明の他の実施形態に係る開閉装置の側断面図。
【図１７】本発明の他の実施形態に係る開閉装置の側断面図。
【図１８】本発明の他の実施形態に係る開閉装置の側断面図。
【符号の説明】
【０１０４】
１  排出用スタッカの開閉装置（扉体の開閉装置）、２  自動給送ユニット、３  プリンタ本体（本体）、４  ハウジング、５  給送用トレイ、６  カバー部材、７  操作パネル、８  排出用スタッカ（扉体）、９  手提げハンドル、１１  液晶モニタ、１２ａ、１２ｂ、１２ｃ、・・・１２ｎ  操作ボタン、１３  給送用開口、１５  カードスロット、１６  凹陥部、１７  回動軸、１８  裏面、１９  排出口、２０  前面、２１  プッシュラッチ装置、２２  マグネットキャッチ装置、２３  押込みロッド、２４  スライダ、２６  付勢バネ、２７  ガイド溝、２８  係合軸、２９  揺動アーム、３０  ケース、３１  穴部、３２  角溝、４０  押込み経路、４１  押出し経路、４２  段差、４３  揺動穴、４４  係合爪、４５  ケース本体、４６  ケースカバー、４７  サイドガイド、４８  ガイドリブ、５０  揺動軸、５１  切欠き部、５３  マグネットホルダ、５４  マグネット、５５  磁性片、５６  ガイド凸部、５７  底部、５８  先端面、５９  上面、６０  上方空間、６１  ガイド凹部、６２  窓部、６３  コイルばね、６４、６５  プランジャ、６６  凹部、６７  斜面、１００  インクジェットプリンタ（記録装置）、
Ｐ  用紙（被記録材）、Ａ  保持点、Ｂ  保持点、Ｘ  開閉方向、Ｙ  開閉方向と直行する方向、Ｓ  オーバーラップ量
【図１】
0005447755.tif 000002
【図２】
0005447755.tif 000003
【図３】
0005447755.tif 000004
【図４】
0005447755.tif 000005
【図５】
0005447755.tif 000006
【図６】
0005447755.tif 000007
【図７】
0005447755.tif 000008
【図８】
0005447755.tif 000009
【図９】
0005447755.tif 000010
【図１０】
0005447755.tif 000011
【図１１】
0005447755.tif 000012
【図１２】
0005447755.tif 000013
【図１３】
0005447755.tif 000014
【図１４】
0005447755.tif 000015
【図１５】
0005447755.tif 000016
【図１６】
0005447755.tif 000017
【図１７】
0005447755.tif 000018
【図１８】
0005447755.tif 000019